(57)【要約】【課題】動物をブラッシングする装置で、特に維持費が比較的安い装置を提供する。【解決手段】動物をブラッシングする装置で、壁または梁の固定された構造物に装置を取付ける取付けユニット１と、取付けユニット１に接続した回転可能な枢軸部２と、枢軸部２に回転可能に接続され、中空の内部空間４を備えている枠体３と、枠体３に固定され、枠体３の中空の内部空間４に伸びる駆動軸６を備えているブラッシングユニット５と、ブラッシングユニット５を駆動する駆動シャフト８を備えた駆動モータ７と、駆動モータ７の駆動シャフト８とブラッシングユニット５の駆動軸６の間に設け、駆動シャフト８から駆動軸６に回転を伝達する伝達素子９と、該伝達素子９は、枠体３の中空の内部空間４に設けている、を備えている。【選択図】図２
2007006886.tif 000002
【特許請求の範囲】
【請求項１】
壁または梁の固定された構造物に装置を取付ける取付けユニット１と、
該取付けユニット１に接続した回転可能な枢軸部２と、
該枢軸部２に回転可能に接続され、中空の内部空間４を備えている枠体３と、
該枠体３に固定され、枠体３の中空の内部空間４に伸びる駆動軸６を備えているブラッシングユニット５と、
該ブラッシングユニット５を駆動する駆動シャフト８を備えた駆動モータ７と、
駆動モータ７の駆動シャフト８とブラッシングユニット５の駆動軸６の間に設け、駆動シャフト８から駆動軸６に回転を伝達する伝達素子９と、
該伝達素子９は、枠体３の中空の内部空間４に設けている、
を備え、
前記駆動モータ７を、枠体３の中空の内部空間４に設けていることを特徴とするウシ等の動物をブラッシングする装置。
【請求項２】
ブラッシングユニット５を枠体３の端部近傍に固定し、駆動モータ７を枠体３の同じ端部で、中空の内部空間４に設けていることを特徴とする請求項１記載の装置。
【請求項３】
伝達素子９が、ブラッシングユニット５の駆動軸６を着脱可能に収容する凹部を備えていることを特徴とする請求項１または２記載の装置。
【請求項４】
伝達素子９が、ウォーム歯車の伝達であることを特徴とする請求項１〜３記載の装置。
【請求項５】
枠体３が、通風口１０を備えていることを特徴とする請求項１〜４記載の装置。
【請求項６】
枠体３の壁が、接続素子１１を備え、該接続素子を、外部供給源に接続する給電線部１３ａ、１３ｂに接続していることを特徴とする請求項１〜５記載の装置。
【請求項７】
給電線は、２つの給電線部１３ａ、１３ｂからなり、給電線部１３ａ、１３ｂは、取付けユニット１に固定した接続素子１４で相互に接続されていることを特徴とする請求項６記載の装置。
【請求項８】
駆動モータ７は、線１２を経て接続素子１１に電気的に接続され、線１２は、枠体３の中空の内部空間４に完全に位置していることを特徴とする請求項６または７記載の装置。
【請求項９】
駆動モータ７は、駆動シャフト８を２つの反対の回転方向に回転でき、装置に設けたスイッチで、駆動シャフト８を、交互に反対方向に回転できることを特徴とする請求項１〜８記載の装置。
【発明の詳細な説明】
【技術分野】
【０００１】
本発明は、動物（例えばウシ）をブラッシングする装置に関する。
【背景技術】
【０００２】
装置は、壁または梁の固定された構造物に装置を取付ける取付けユニットと、取付けユニットに接続した回転可能な枢軸部と、枢軸部に回転可能に接続され、中空の内部空間を備えている枠体と、枠体に固定され、枠体の中空の内部空間に伸びる駆動軸を備えているブラッシングユニットと、ブラッシングユニットを駆動する駆動シャフトを備えた駆動モータと、駆動モータの駆動シャフトとブラッシングユニットの駆動軸の間に設け、駆動シャフトから駆動軸に回転を伝達する伝達素子と、該伝達素子は、枠体の中空の内部空間に設けている、を備えている。
【０００３】
このような動物をブラッシングする装置は、米国特許６，３１８，２９８-Ｂ１に開示されている。この装置では、駆動モータを枠体の端部近傍に固定し、ブラッシングユニットを枠体の他方の端部近傍に固定している。駆動モータは駆動シャフトを備えている。駆動シャフトは、枠体の中空の内部空間に伸び、ブラッシングユニットの駆動軸に鎖で接続している。この装置は、適切に働くが、維持費が比較的高くなる。
【発明の開示】
【発明が解決しようとする課題】
【０００４】
本発明の目的は、動物をブラッシングする装置で、特に維持費が比較的安い装置を提供することにある。
【課題を解決するための手段】
【０００５】
この目的のために、上記タイプの動物をブラッシングする装置で、駆動モータを枠体の中空の内部空間に設けることを特徴としている。既知の装置の駆動モータは、枠体の外側に固定されており、周囲の全ての種類の汚染を受ける。本発明は、この実態に基づいている。特に、家畜小屋では汚染が著しい。結果として、従来の装置の駆動モータは、頻繁に清掃および／または取り替えて装置の正常な働きを維持している。この清掃および／または取替えは、時間の無駄のみならず、不必要に費用がかかる。本発明では、駆動モータを枠体の中空の内部空間に設けて汚染を防いでいる。これにより維持費が強力に減少する。
【０００６】
本発明によれば、ブラッシングユニットを、枠体の端部近傍に固定し、駆動モータを枠体の同じ端部近傍の中空の内部空間に設ける。ブラッシングユニットを枠体の下部端部に固定しているので重心が低くなる。
【０００７】
好ましくは、伝達素子が、ブラッシングユニットの駆動軸を着脱可能に収容する凹部を備えている。擦り切れたブラッシングユニットの取外しが容易で、取替え時間を強力に減らす。従来の装置は、駆動軸を軸受素子を通して枠体に固定している。軸受素子は、ボルトで枠体に固定されている。従って、ブラッシングユニットの取外しおよび取替えに時間がかかる。伝達素子は、ウォーム歯車伝達が好ましい。安価で信頼性のある直接駆動の駆動軸を可能にする。
【０００８】
好ましくは、枠体が、通風口を備えている。駆動モータで発生する熱が、枠体の中空の内部空間から出て、駆動モータの過熱による故障を防ぐことが出来る。
【０００９】
好ましくは、枠体の壁が、接続素子を備え、該接続素子を、外部供給源に接続する給電線部に接続する。給電線は、２つの給電線部からなり、取り付けユニットに固定された接続素子で互いに接続されている。これにより、装置の給電線の安全で堅固な固定を可能にしている。
【００１０】
好ましくは、駆動モータは、線を経て接続素子に電気的に接続され、線は、枠体の中空の内部空間に完全に位置している。外部の影響による線への損傷を防ぐことが出来る。
【００１１】
好ましくは、駆動モータは、駆動シャフトを２つの反対の回転方向に回転でき、装置に設けたスイッチで、駆動シャフトを、交互に反対方向に回転できる。駆動モータを２つの方向に回すことで、駆動モータの摩耗を少なくできる。回転方向の反転は、タイマー回路のコントロールで、固定した（または可変の）周期的な時点で行なうか、各ブラッシング毎に行なっても良い。ブラッシングの実行は、スイッチを作動させて行なう。このスイッチで駆動モータが作動するのは、ブラッシングユニットに圧力が加わる時である。２つの反対方向に駆動する駆動モータは、ＥＰ−Ｂ１−０８４０５４７に記載している。
【発明を実施するための最良の形態】
【００１２】
図１は、動物(例えばウシ)をブラッシングする装置を示す。装置は、取付けユニット１を備え、装置を家畜小屋の壁または梁の固定された構造物に取付ける。枢軸部２(例えば回転可能な軸)を、取付けユニット１に接続している。枠体３は、枢軸部２に回転可能に接続され、中空の内部空間４を備えている。
【００１３】
ブラッシングユニット５が枠体３の端部近傍に固定され、駆動軸６を備えている。駆動軸６は、枠体３の中空の内部空間４に伸びている。本発明のブラッシングユニットは、ブラシの毛を備えたユニットだけでなく、突起物のある回転体を備えたユニット、スポンジ状の物質の回転体を備えたユニット等を意味する。
【００１４】
駆動モータ７は、駆動シャフト８を備え、ブラッシングユニット５を駆動する。その駆動モータは、好ましくは、枠体３の中空の内部空間４の下部に設ける。この場所は、ブラッシングユニット５を設けている場所と同じ端部である。
【００１５】
伝達素子９（例えばウォーム歯車）を、駆動モータ７の駆動シャフト８とブラッシングユニット５の駆動軸６の間に設け、駆動シャフト８から駆動軸６に回転を伝達する。伝達素子９は、枠体３の中空の内部空間４に設けている。伝達素子９の代わりに、他の直接の伝達、例えばロープまたはベルト、を使用しても良い。
【００１６】
伝達素子９は、ブラッシングユニット５の駆動軸６を着脱可能に収容する凹部を備えている。固定素子（例えば係止ピン）を取り除いて、ブラッシングユニット５を伝達素子９の凹部から手早く挿入および／または取外すことが出来る。
【００１７】
枠体３に通風口１０を設けている。実施例の通風口は、細長い隙間で形成されている。形は限定されず、駆動モータ７から発生する熱を、枠体３の中空の内部空間４から取り除ければ良い。必要に応じて、冷却ファンまたは流体冷却も可能である。
【００１８】
枠体３に、接続素子１１を設け、２つの給電線部１３ａ、１３ｂからなる給電線を接続し、外部供給源に接続する。給電線部１３ａ、１３ｂは、取付けユニット１に固定した接続素子１４で相互に接続されている。駆動モータ７は、線１２を経て接続素子１１に電気的に接続されている。線１２は、枠体３の中空の内部空間４に完全に位置している。実施例では電気モータを使用しているが、空気モータ又は油圧モータを使用しても良い。
【００１９】
駆動モータ７をコントロールするコントロール回路１５を、枠体３の中空の内部空間４の筐体に設けている。駆動モータ７は、駆動シャフト８を２つの反対の回転方向に回転できるのが好ましい。コントロール回路１５のスイッチで、駆動シャフト８を交互に反対方向に回転するようにコントロールする。回転方向の逆転は、コントロール回路１５に設けたタイマー回路でコントロールできる。回転方向は、各ブラッシングの実行後にも逆転できる。米国特許６，３１８，２９８Ｂ１に記載しているが、ブラッシングの実行は、スイッチを作動させて行なう。このスイッチで駆動モータ７が作動するのは、ウシによる圧力が、ブラッシングユニット５に加わる時である。スイッチ機構体は、アラーム機能も備えている。温度保護のスイッチが入る場合または電源の故障の場合に、無電位接点にスイッチが切り替わる。
【図面の簡単な説明】
【００２０】
【図１】本発明による動物をブラッシングする装置の背面の概略図である。
【図２】図１に示す装置の部分断面の側面図である。
【図３】図１および図２に示す装置の斜視の概略図である。
【符号の説明】
【００２１】
１    取付けユニット
２    枢軸部
３    枠体
４    中空の内部空間
５    ブラッシングユニット
６    駆動軸
７    駆動モータ
８    駆動シャフト
９    伝達素子
１０    通風口
【図１】
2007006886.tif 000003
【図２】
2007006886.tif 000004
【図３】
2007006886.tif 000005